(57)【要約】【課題】コストが高騰することなく厚みを抑制することを可能にして小型化を図ることができる記録媒体再生装置を提供する。【解決手段】ＣＤプレーヤ１は機器本体３と再生ユニット６を備えている。機器本体３は扁平な箱状の外側ケース８を備えている。再生ユニット６はクランプ部１９を備えている。クランプ部１９は固定シャーシ２１と回転テーブル２２とスピンドルモータ２３と無端ベルト２４を備えている。固定シャーシ２１は機器本体３に固定されている。回転テーブル２２は固定シャーシ２１に軸芯Ｐ回りに回転自在に設けられている。回転テーブル２２にはプーリ２９が取り付けられている。スピンドルモータ２３はＣＤ２の外縁よりＣＤ２の外周に位置し軸芯Ｐに対し直交する方向に沿って回転テーブル２２と並設している。スピンドルモータ２３の出力軸にはプーリ３０が取り付けられている。無端ベルト２４はプーリ２９，３０に掛け渡されている。【選択図】図３
2008165836.tif 000002
【特許請求の範囲】
【請求項１】
機器本体と、
前記機器本体に収容された記録媒体とともに前記機器本体に回転自在に設けられた回転テーブルと、
前記記録媒体の情報を読み出す再生部と、
前記回転テーブルを前記記録媒体とともに回転させる駆動源とを備えた記録媒体再生装置において、
前記駆動源を、前記回転テーブルより前記記録媒体の外周寄りで、かつ前記回転テーブルの回転中心に直交する方向に沿って該回転テーブルと並設される位置に配置し、
前記回転テーブルと前記駆動源とに掛け渡された無端状の連結部材を備えたことを特徴とする記録媒体再生装置。
【請求項２】
前記駆動源を、前記記録媒体の外縁より前記記録媒体の外周に配置したことを特徴とする請求項１記載の記録媒体再生装置。
【請求項３】
前記回転テーブルと前記再生部とをそれぞれ複数設けているとともに、複数の回転テーブルを同軸に配置し、
前記駆動源を一つ設け、
前記連結部材を、複数の回転テーブルと前記駆動源とに掛け渡したことを特徴とする請求項１又は請求項２記載の記録媒体再生装置。
【請求項４】
前記回転テーブルと前記再生部とをそれぞれ二つ設け、
前記再生部を、二つの回転テーブルで回転される二つの記録媒体間に配置したことを特徴とする請求項３記載の記録媒体再生装置。
【発明の詳細な説明】
【技術分野】
【０００１】
本発明は、例えば、自動車などに搭載されて、記録媒体の情報を再生する記録媒体再生装置に関する。
【背景技術】
【０００２】
例えば、記録媒体としてのＣＤ（Compact Disk）などに記録された情報を読み出して、再生する記録媒体再生装置としてのＣＤプレーヤ１００は、図１に示すように、ＣＤ１０１が出し入れされる機器本体１０２と、前記機器本体１０２内に設けられかつ前記ＣＤ１０１の情報を読み出すことが可能な再生部としての光ピックアップ１０３と、前記機器本体１０２内に収容されたＣＤ１０１を回転させる回転駆動部１０４と、を備えている。
【０００３】
回転駆動部１０４は、駆動源としてのスピンドルモータ１０５と、機器本体１０２に回転自在に設けられかつ前述したＣＤ１０１とともに前述したスピンドルモータ１０５により回転される回転テーブル１０６と、を備えている。スピンドルモータ１０５と回転テーブル１０６とは、互いに同軸に配置されている。
【０００４】
前述したＣＤプレーヤ１００は、機器本体１０２にＣＤ１０１を収容し、スピンドルモータ１０５の駆動力で回転テーブル１０６とともにＣＤ１０１を回転させながら光ピックアップ１０３でＣＤ１０１に記録された情報を読み出す。
【発明の開示】
【発明が解決しようとする課題】
【０００５】
前述した記録媒体再生装置としてのＣＤプレーヤ１００は、より小型化が求められているとともに、より高機能化が求められている。しかしながら、前述したように、従来の記録媒体再生装置としてのＣＤプレーヤ１００は、駆動源としてのスピンドルモータ１０５と回転テーブル１０６とを互いに同軸に配置しているため、これらの軸芯方向の寸法即ち厚みの抑制即ち小型化が困難であった。
【０００６】
また、前述した従来のＣＤプレーヤ１００で厚みの抑制即ち薄型化を図るためには、スピンドルモータ１０５自体の薄型化を図る必要があった。スピンドルモータ１０５自体の薄型化を図ると、該スピンドルモータ１０５自体のコストが高騰してしまう。
【０００７】
さらに、図１に例示したような従来のＣＤプレーヤ１００の回転駆動部１０４の構成では、複数のＣＤ１０１を同時に再生するために、光ピックアップ１０３と回転駆動部１０４とを複数設けると、前述した厚みが確実に増加する。このため、図１に例示したような従来のＣＤプレーヤ１００の回転駆動部１０４の構成では、機器本体１０２を大型化することなく、複数のＣＤ１０１を同時に再生できるようにすることは困難であった。即ち、高機能化が困難であった。
【０００８】
本発明の目的は、例えば、特に、コストが高騰することなく厚みを抑制することを可能にして小型化を図ることができる記録媒体再生装置を提供することにある。
【課題を解決するための手段】
【０００９】
前記課題を解決し目的を達成するために、請求項１に記載の本発明の記録媒体再生装置は、機器本体と、前記機器本体に収容された記録媒体とともに前記機器本体に回転自在に設けられた回転テーブルと、前記記録媒体の情報を読み出す再生部と、前記回転テーブルを前記記録媒体とともに回転させる駆動源とを備えた記録媒体再生装置において、前記駆動源を、前記回転テーブルより前記記録媒体の外周寄りで、かつ前記回転テーブルの回転中心に直交する方向に沿って該回転テーブルと並設される位置に配置し、前記回転テーブルと前記駆動源とに掛け渡された無端状の連結部材を備えたことを特徴としている。
【発明を実施するための最良の形態】
【００１０】
以下、本発明の一実施形態にかかる記録媒体再生装置を説明する。本発明の一実施形態にかかる記録媒体再生装置は、回転テーブルを回転させる駆動源を回転テーブルより記録媒体の外周寄りで、かつ回転テーブルの回転中心に直交する方向に沿って該回転テーブルと並設している。こうすることで、回転テーブルと駆動源とが同軸に配置された場合より、駆動源自体の小型化を図ることなく即ちコストが高騰することなく、回転中心に沿った寸法即ち厚みを抑制して小型化を図ることができるようにしている。
【００１１】
また、駆動源を記録媒体の外縁より該記録媒体の外周に配置しても良い。
【００１２】
さらに、回転テーブルを同軸に複数設けて、これら複数の回転テーブルと駆動源とに連結部材を掛け渡して、一つの駆動源で複数の回転テーブルを回転できるようにしても良い。
【００１３】
また、回転テーブルを二つ設け、二つの回転テーブルとともに回転される記録媒体間に再生部を配置しても良い。
【実施例１】
【００１４】
以下、本発明の第１の実施例にかかる記録媒体再生装置の一例としてのＣＤプレーヤ１を、図２ないし図４に基づいて説明する。図２などに示すＣＤプレーヤ１は、移動体としての自動車のインストルメントパネル（以下、インパネと呼ぶ）などに取り付けられて、記録媒体としてのＣＤ２（図３及び図４に示す）を一枚収容して、このＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１５】
ＣＤプレーヤ１は、図３及び図４に示すように、機器本体３（図２に示す）と、図示しない搬送ユニットと、再生ユニット６とを備えている。なお、以下、ＣＤ２の表面と搬送機構のＣＤ２の搬送方向との双方と平行な図１中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向と記す。
【００１６】
機器本体３は、合成樹脂からなる外側ケース８を備えている。
【００１７】
外側ケース８は、扁平な箱状に形成されている。外側ケース８の前述したインパネに取り付けると乗員に相対する前面８ａ（図２に示す）には、ＣＤ２を出し入れ可能な挿入口１０が一つ設けられている。なお、前面８ａは、外側ケース８即ちＣＤプレーヤ１がインパネに取り付けられると、該インパネの外側に露出する外側ケース８の一つの面である。
【００１８】
挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。
【００１９】
さらに、前述した前面８ａには、表示パネルとしての蛍光表示管１２と、各種のスイッチ１３とが設けられている。
【００２０】
蛍光表示管１２は、前面８ａに露出して、使用者に対し各種の情報を表示する表示領域としての表示面を備えている。蛍光表示管１２は、表示面に再生中のプログラム名等の情報を表示する。
【００２１】
各種のスイッチ１３は、使用者が操作するための操作部を構成している。スイッチ１３が使用者などに操作されることによって、例えば、再生ユニット６が再生するＣＤ２のプログラムの選択やＣＤ２の出し入れなどが行われる。
【００２２】
搬送ユニットは、機器本体３内に収容されており、挿入口１０内にＣＤ２を通して、該ＣＤ２を機器本体３に出し入れする。
【００２３】
再生ユニット６は、機器本体３内に収容されており、クランプ部１９と、光ピックアップ部２０と、を備えている。
【００２４】
クランプ部１９は、図３に示すように、固定シャーシ２１と、回転テーブル２２と、駆動源としてのスピンドルモータ２３と、連結部材としての無端ベルト２４と、クランプアーム２５と、クランパ２６と、を備えている。
【００２５】
固定シャーシ２１は、板金で構成され、平板状に形成されている。固定シャーシ２１は、その両表面がＣＤ２の表面と平行な状態で機器本体３内に収容されている。即ち、固定シャーシ２１の両表面は、幅方向Ｘと奥行き方向Ｙとの双方と平行である。固定シャーシ２１は、機器本体３に固定されている。
【００２６】
回転テーブル２２は、固定シャーシ２１の中央に回転自在に設けられている。回転テーブル２２は、ディスク挟持部２７と、軸部２８とを一体に備えている。ディスク挟持部２７は、固定シャーシ２１の一つの表面（図示例では上面）側に露出しており、裁頭円錐状に形成されている。ディスク挟持部２７は、固定シャーシ２１から離れるのにしたがって外径が徐々に小さくなるように配置されている。ディスク挟持部２７は、その表面上にＣＤ２を位置付け、後述するようにクランパ２６との間にＣＤ２を挟む。
【００２７】
軸部２８は、円柱状に形成されており、ディスク挟持部２７と同軸に配置されている。軸部２８は、その軸芯Ｐ（図３中に一点鎖線で示す）が前述した厚み方向Ｚと平行である。軸部２８は、固定シャーシ２１にその軸芯Ｐ回りに回転自在に支持されている。即ち、回転テーブル２２は、クランパ２６との間に挟んだＣＤ２とともに（一体に）、機器本体３に回転自在に設けられている。また、軸芯Ｐは、回転テーブル２２の回転中心をなしている。
【００２８】
軸部２８のディスク挟持部２７から離れた側の端部にはプーリ２９が取り付けられている。このプーリ２９は、固定シャーシ２１の他の表面（図示例では下面）側に露出している。プーリ２９は、ディスク挟持部２７と軸部２８との双方即ち回転テーブル２２と同軸に配置されている。
【００２９】
スピンドルモータ２３は、図４に示すように、回転テーブル２２よりＣＤ２の外周即ち機器本体３の外側寄りに配置されている。スピンドルモータ２３は、図３に示すように、軸芯Ｐに対し直交する方向に沿って、回転テーブル２２と並設されている。図示例では、スピンドルモータ２３は、回転テーブル２２のディスク挟持部２７とクランパ２６との間にクランプされたＣＤ２の外縁よりＣＤ２の外周即ち機器本体３の外側寄りに配置されている。即ち、スピンドルモータ２３は、回転テーブル２２と同軸とならない位置に配置されている。
【００３０】
また、スピンドルモータ２３の出力軸の軸芯は、前述した軸芯Ｐと平行である。スピンドルモータ２３の出力軸には、プーリ３０が取り付けられている。このプーリ３０は、固定シャーシ２１の他の表面（図示例では下面）側に露出している。
【００３１】
無端ベルト２４は、無端状（環状、輪状ともいう）に形成されている。無端ベルト２４は、プーリ２９，３０に掛け渡されている。即ち、無端ベルト２４は、回転テーブル２２とスピンドルモータ２３とに掛け渡されている。無端ベルト２４は、スピンドルモータ２３の駆動力により、プーリ２９，３０の外周を循環（無端走行）する。
【００３２】
前述した構成によって、回転テーブル２２は、固定シャーシ２１を介して機器本体３に回転自在に設けられているとともに、スピンドルモータ２３の駆動力により、機器本体３に収容されたＣＤ２とともに軸芯Ｐ回りに回転する。また、スピンドルモータ２３は、回転テーブル２２をＣＤ２とともに回転させる。
【００３３】
クランプアーム２５は、板金で構成され、平板状に形成されている。クランプアーム２５は、その両表面がＣＤ２の表面と平行な状態で機器本体３内に収容されている。即ち、クランプアーム２５の両表面は、幅方向Ｘと奥行き方向Ｙとの双方と平行である。
【００３４】
図示例では、クランプアーム２５は、固定シャーシ２１の一つの表面（上面）側に配置されている。即ち、クランプアーム２５は、回転テーブル２２のディスク挟持部２７と厚み方向Ｚに沿って相対する。クランプアーム２５は、固定シャーシ２１に接離する方向に機器本体３に移動自在に設けられている。クランプアーム２５は、搬送ユニットの搬送動作に連動して、固定シャーシ２１に接離する。なお、接離とは、近づいたり離れることをいう。
【００３５】
クランパ２６は、円板状に形成されているとともに、クランプアーム２５に軸芯を中心として回転自在に支持されている。クランパ２６は、回転テーブル２２のディスク挟持部２７と厚み方向Ｚに沿って相対する。クランパ２６は、回転テーブル２２のディスク挟持部２７との間にＣＤ２を挟んで、クランプする。クランパ２６と回転テーブル２２との間にＣＤ２を挟んでクランプすると、これらのクランパ２６、回転テーブル２２及びＣＤ２は、機器本体３に対して一体に軸芯Ｐ回りに回転自在となる。
【００３６】
クランパ２６は、回転テーブル２２のディスク挟持部２７との間にＣＤ２を挟んでクランプして、スピンドルモータ２３により回転テーブル２２とＣＤ２とともに回転する。
【００３７】
光ピックアップ部２０は、再生部としての光ピックアップ３１と、光ピックアップ移動部とを備えている。光ピックアップ３１は、クランプ部１９にクランプされたＣＤ２から情報を読み出す。光ピックアップ移動部は、クランプ部１９にクランプされたＣＤ２の径方向に沿って、光ピックアップ３１を移動する。
【００３８】
光ピックアップ部２０は、光ピックアップ３１をＣＤ２の径方向に移動して、クランプ部１９にクランプされたＣＤ２の任意の位置から情報を読み出す。
【００３９】
再生ユニット６は、クランプ部１９がＣＤ２をクランプして該ＣＤ２を回転して、光ピックアップ部２０がＣＤ２から情報を読み出す。
【００４０】
ＣＤプレーヤ１は、挿入口１０を通して機器本体３にＣＤ２が挿入されると、搬送ユニットが該ＣＤ２を固定シャーシ２１とクランプアーム２５との間に向けて送り出す。そして、ＣＤ２が、固定シャーシ２１とクランプアーム２５との間に位置すると、クランプアーム２５が固定シャーシ２１に近づいて、回転テーブル２２のディスク挟持部２７とクランパ２６との間にＣＤ２を挟んでクランプする。そして、スピンドルモータ２３が、ＣＤ２を回転するとともに、光ピックアップ３１がＣＤ２から情報を読み出して音声として出力する。
【００４１】
ＣＤ２を機器本体３から排出する際には、ＣＤプレーヤ１は、クランプアーム２５が固定シャーシ２１から離れて、ＣＤ２のクランプを解除する。そして、搬送ユニットが、ＣＤ２を挿入口１０に通して、該ＣＤ２を機器本体３外に排出する。
【００４２】
本実施例によれば、回転テーブル２２を回転させるスピンドルモータ２３を回転テーブル２２よりＣＤ２の外周寄りで、かつ回転テーブル２２の軸芯Ｐに直交する方向に沿って該回転テーブル２２と並設している。このため、回転テーブル２２の軸芯Ｐに沿って、該回転テーブル２２とスピンドルモータ２３とが並ばなくなる。
【００４３】
このため、スピンドルモータ２３自体の小型化を図ることなく、機器本体３即ちＣＤプレーヤ１の薄型化を図ることができる。したがって、回転テーブル２２とスピンドルモータ２３とが同軸に配置された場合より、スピンドルモータ２３自体の小型化を図る必要なく即ちコストを高騰させることなく、機器本体３即ちＣＤプレーヤ１の軸芯Ｐに沿った寸法即ち厚みを抑制して（減少させて）、該ＣＤプレーヤ１の小型化を図ることができる。
【００４４】
スピンドルモータ２３をＣＤ２の外縁より該ＣＤ２の外周に配置しているので、該回転テーブル２２の軸芯Ｐに直交させる方向に沿って、スピンドルモータ２３と回転テーブル２２とを確実に並設させることができる。したがって、ＣＤプレーヤ１の厚みを確実に抑制でき（減少でき）、ＣＤプレーヤ１の小型化を確実に図ることができる。
【実施例２】
【００４５】
次に、本発明の第２の実施例にかかるＣＤプレーヤ１を、図５を参照して説明する。なお、前述した第１の実施例と同一部分には、同一符号を付して説明を省略する。
【００４６】
本実施例の再生ユニット６は、図５に示すように、二つの回転テーブル２２と、一つのスピンドルモータ２３と、二つのクランプアーム２５と、二つのクランパ２６と、二つの光ピックアップ３１とを備えている。
【００４７】
二つの回転テーブル２２は、互いに同軸に設けられている。二つの回転テーブル２２は、互いに固定されているとともに、互いの間に前述したプーリ２９を配置している。また、回転テーブル２２は、固定シャーシ２１から離れるのにしたがってディスク挟持部２７の外径が徐々に小さくなる状態に配置されている。
【００４８】
一つのスピンドルモータ２３は、前述した第１の実施例と同様に配置されている。スピンドルモータ２３の出力軸には、勿論、プーリ３０が取り付けられている。無端ベルト２４は、二つの回転テーブル２２と一つのスピンドルモータ２３とに掛け渡されている。スピンドルモータ２３は、二つの回転テーブル２２を軸芯Ｐ回りの同じ向きに回転させる。
【００４９】
一方のクランプアーム２５は、固定シャーシ２１の一つの表面（上面）側に配置され、他方のクランプアーム２５は、固定シャーシ２１の他の表面（下面）側に配置されている。クランプアーム２５は、それぞれ、固定シャーシ２１に接離自在となっている。
【００５０】
クランパ２６は、クランプアーム２５それぞれに設けられている。クランパ２６は、勿論、回転テーブル２２のディスク挟持部２７と相対するとともに、該回転テーブル２２のディスク挟持部２７との間にＣＤ２を挟んでクランプする。
【００５１】
一方の光ピックアップ３１は、二つのＣＤ２間に配置されて、二つのＣＤ２のうち図５中の一つの表面（上面）側に位置するＣＤ２から情報を読み出す。他方の光ピックアップ３１は、二つのＣＤ２のうち図５中の他の表面（下面）側に位置するＣＤ２よりの他の表面（下面）側に配置されて、二つのＣＤ２のうち図５中の他の表面（下面）側に位置するＣＤ２から情報を読み出す。
【００５２】
本実施例によれば、前述した第１の実施例と同様に、回転テーブル２２を回転させるスピンドルモータ２３を回転テーブル２２よりＣＤ２の外周寄りで、かつ回転テーブル２２の軸芯Ｐに直交する方向に沿って該回転テーブル２２と並設している。さらに、スピンドルモータ２３をＣＤ２の外縁より該ＣＤ２の外周に配置している。これらにより、スピンドルモータ２３自体の小型化を図る必要なく即ちコストを高騰させることなく、機器本体３即ちＣＤプレーヤ１の軸芯Ｐに沿った寸法即ち厚みを抑制して（減少させて）、該ＣＤプレーヤ１の小型化を図ることができる。
【００５３】
さらに、本実施例によれば、回転テーブル２２を同軸に二つ（複数）設けて、これら二つ（複数）の回転テーブル２２とスピンドルモータ２３とに無端ベルト２４を掛け渡している。このため、一つのスピンドルモータ２３で二つ（複数）の回転テーブル２２を回転することができる。このため、スピンドルモータ２３が一つで良いので、部品点数が増加することなく、二つ（複数）のＣＤ２が再生可能となる。即ち、高機能化を図ることができる。したがって、ＣＤプレーヤ１の高機能化を図ることができる。
【００５４】
また、本実施例では、図６に示すように、回転テーブル２２同士を互いに逆向きに軸芯Ｐ回りに回転させるようにして、二つの光ピックアップ３１を二つの回転テーブル２２で回転される二つのＣＤ２間に配置しても良い。なお、図６において、図５に示された第２の実施例と同一部分には、同一符号を付して説明を省略する。図６に示すＣＤプレーヤ１は、勿論、回転テーブル２２同士を互いに逆向きに回転するための複数の歯車で構成される歯車機構（図示せず）を備えている。
【００５５】
この図６に示された場合によれば、回転テーブル２２を二つ設け、二つの回転テーブル２２とともに回転される二つのＣＤ２間に二つの光ピックアップ３１を配置している。このため、二つのＣＤ２を再生可能としても、二つの光ピックアップ３１が二つのＣＤ２間に位置するので、機器本体３の厚みが増加することを防止できる。したがって、ＣＤプレーヤ１の厚みを抑制して（減少して）小型化を確実に図ることができるとともに、該ＣＤプレーヤ１の高機能化を図ることができる。
【００５６】
また、前述した実施例では、図７に示すように、クランプアーム２５とクランパ２６を設けることなく、回転テーブル２２に一端部が凸没自在なクランプ爪３２を設けるとともに、該回転テーブル２２に接離することで前記クランプ爪３２の一端部を回転テーブル２２から突出させる可動部材３３を設けても良い。
【００５７】
クランプ爪３２は、フック状に形成されて、他端部を中心として回転自在に回転テーブル２２に取り付けられている。クランプ爪３２は、他端部を中心として回転することで、一端部が回転テーブル２２から凸没する。可動部材３３は、回転テーブル２２に近づくと、クランプ爪３２の一端部を回転テーブル２２から突出させ、回転テーブル２２から離れると、クランプ爪３２の一端部を回転テーブル２２の表面より下方に没せさせる。
【００５８】
図７に示す場合には、ＣＤ２を出し入れする際には、可動部材３３を回転テーブル２２から離して、クランプ爪３２の一端部を回転テーブル２２の表面より下方に没せさせる。ＣＤ２を再生する際には、可動部材３３を回転テーブル２２に近づけて、クランプ爪３２の一端部を回転テーブル２２の表面から突出させて、該クランプ爪３２の一端部と回転テーブル２２との間にＣＤ２を挟んでクランプする。この図７に示す場合によれば、クランプアーム２５とクランパ２６が必要なくなるので、よりＣＤプレーヤ１の厚みを抑制でき、該ＣＤプレーヤ１のより一層の小型化を図ることができる。
【００５９】
なお、図７では、回転テーブル２２と光ピックアップ３１とをそれぞれ一つ設けたＣＤプレーヤ１を示している。しかしながら、本発明では、図７に示すクランプ爪３２を設けた回転テーブル２２と光ピックアップ３１とをそれぞれ複数設けても良い。
【００６０】
前述した実施例では、記録媒体としてのＣＤ２を収容するＣＤプレーヤ１を示している。しかしながら、本発明では、例えば、記録媒体としてのＭＤ（Mini Disc）を収容するＭＤプレーヤや、例えば、ＤＶＤ（Digital Versatile Disc）などの他の記録媒体を収容するＤＶＤプレーヤなどの記録媒体再生装置に適用しても良い。
【００６１】
前述した実施例では、スピンドルモータ２３をＣＤ２の外縁より該ＣＤ２の外周に配置している。しかしながら、本発明では、スピンドルモータ２３を軸芯Ｐに対し直交する方向に沿って回転テーブル２２と並設する位置に配置すれば、該スピンドルモータ２３をＣＤ２の外縁より該ＣＤ２の内周側に配置しても良い。さらに、本発明では、無端ベルト２４の他に連結部材として無端状のチェーンを用いても良い。
【００６２】
前述した第２の実施例では、回転テーブル２２と光ピックアップ３１とを、それぞれ、二つ設けている。しかしながら、本発明では、回転テーブル２２と光ピックアップ３１とを、それぞれ、三つ以上設けても良い。
【００６３】
前述した実施例によれば、以下のＣＤプレーヤ１が得られる。
【００６４】
（付記１）  機器本体３と、
前記機器本体３に収容されたＣＤ２とともに前記機器本体３に回転自在に設けられた回転テーブル２２と、
前記ＣＤ２の情報を読み出す光ピックアップ３１と、
前記回転テーブル２２を前記ＣＤ２とともに回転させるスピンドルモータ２３とを備えたＣＤプレーヤ１において、
前記スピンドルモータ２３を、前記回転テーブル２２より前記ＣＤ２の外周寄りで、かつ前記回転テーブル２２の回転中心Ｐに直交する方向に沿って該回転テーブル２２と並設される位置に配置し、
前記回転テーブル２２と前記スピンドルモータ２３とに掛け渡された無端状の無端ベルト２４を備えたことを特徴とするＣＤプレーヤ１。
【００６５】
（付記２）  前記スピンドルモータ２３を、前記ＣＤ２の外縁より前記ＣＤ２の外周に配置したことを特徴とする付記１記載のＣＤプレーヤ１。
【００６６】
（付記３）  前記回転テーブル２２と前記光ピックアップ３１とをそれぞれ複数設けているとともに、複数の回転テーブル２２を同軸に配置し、
前記スピンドルモータ２３を一つ設け、
前記無端ベルト２４を、複数の回転テーブル２２と前記スピンドルモータ２３とに掛け渡したことを特徴とする付記１又は付記２記載のＣＤプレーヤ１。
【００６７】
（付記４）  前記回転テーブル２２と前記光ピックアップ３１とをそれぞれ二つ設け、
前記光ピックアップ３１を、二つの回転テーブル２２で回転される二つのＣＤ２間に配置したことを特徴とする付記３記載のＣＤプレーヤ１。
【００６８】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６９】
【図１】従来の記録媒体再生装置としてのＣＤプレーヤの構成を模式的に示す側方からみた説明図である。
【図２】本発明の第１の実施例にかかる記録媒体再生装置としてのＣＤプレーヤの斜視図である。
【図３】図１に示されたＣＤプレーヤの構成を模式的に示す側方からみた説明図である。
【図４】図１に示されたＣＤプレーヤの平面における構成を模式的に示す説明図である。
【図５】本発明の第２の実施例にかかる記録媒体再生装置としてのＣＤプレーヤの構成を模式的に示す側方からみた説明図である。
【図６】図５に示されたＣＤプレーヤの変形例の構成を模式的に示す側方からみた説明図である。
【図７】本発明のＣＤプレーヤの他の変形例の構成を模式的に示す側方からみた説明図である。
【符号の説明】
【００７０】
１  ＣＤプレーヤ（記録媒体再生装置）
２  ＣＤ（記録媒体）
３  機器本体
２２  回転テーブル
２３  スピンドルモータ（駆動源）
２４  無端ベルト（連結部材）
３１  光ピックアップ（再生部）
Ｐ  軸芯
【図１】
2008165836.tif 000003
【図２】
2008165836.tif 000004
【図３】
2008165836.tif 000005
【図４】
2008165836.tif 000006
【図５】
2008165836.tif 000007
【図６】
2008165836.tif 000008
【図７】
2008165836.tif 000009